(57)【特許請求の範囲】
【請求項１】
画像形成装置本体から搬入される用紙をレジストローラで曲がり矯正した後、穿孔処理して排出するようにした穿孔処理装置において、
一時停止している用紙に穿孔する穿孔手段と、
前記穿孔手段の下流側に短い搬送経路で用紙を搬送排出する第一の搬送路と長い搬送経路で用紙を搬送排出する第二の搬送路と、
用紙の搬送経路を第一の搬送路又は第二の搬送路に選択的に切り替える切替手段とを有し、
当該穿孔処理装置から排出された用紙に後処理を行う後処理を後段に連結可能であり、
長いサイズの用紙に穿孔処理するときは前記第二の搬送路に用紙を送り、短いサイズの用紙に穿孔処理するときは前記第一の搬送路に用紙を送るように前記切替手段を切り換え、
前記第二搬送路は、一方向回転クラッチを介して駆動される搬送ローラを有することを特徴とする穿孔処理装置。
【請求項２】
非穿孔処理時に、用紙の曲り矯正動作をせずに、前記切替手段を第一の搬送路に切り替えて搬送させるようにしたことを特徴とする請求項１記載の穿孔処理装置。
【請求項３】
用紙に画像を記録形成する画像記録手段と、
画像が記録形成された用紙を該画像記録手段より排出する排出手段とを有すると共に、該排出手段により排出された用紙に対して、請求項１〜４のいずれかに記載の穿孔処理装置により穿孔処理することを特徴とする画像形成装置。
【発明の詳細な説明】
【０００１】
【発明の属する技術分野】
本発明は、穿孔処理装置及び画像形成装置に関し、詳しくは、例えば複写機、プリンタ、ファクシミリ、これらの複合機等の画像形成装置により画像が記録形成されて排出される用紙に、ファイルに綴じ込むためのパンチ孔を穿孔形成する穿孔処理装置及びこれを備える画像形成装置に関する。
【０００２】
【従来の技術】
複写機、プリンタ、ファクシミリ、これらの複合機等の画像形成装置においては、ファイルに綴じ込むためのパンチ孔を穿設する穿孔処理装置を画像形成装置本体と組み合わせることにより、作業効率の向上を図り得るようにすることが行なわれている。
【０００３】
かかる穿孔処理装置において、画像形成装置本体からの出力順に頁揃えを行って排紙皿上に積載するために、用紙の画像面は下向きに排紙されるが、これらの画像形成装置本体から搬入される用紙に対して穿孔処理する場合、通常、用紙の搬送方向の後端側に行なわれる。このため、パンチ孔を穿設する穿孔手段の下流側に、用紙の先端側を搬送させる搬送路を形成する必要があるが、穿孔処理装置の大型化を避けるため、上記搬送路を彎曲状の曲路で構成することで長い搬送経路を確保すると同時に装置の幅を極力狭くして小型化を図るようにしている。
【０００４】
このような穿孔処理装置によれば、画像形成装置本体から搬入されるあらゆるサイズの用紙に対して曲り矯正動作した後、その用紙後端側に穿孔処理することが可能である。
【０００５】
しかし、厚紙等のように穿孔処理できない用紙を彎曲状の曲路で構成された搬送路を用いて搬送させることは、その搬送信頼性に問題がある。また、画像形成装置本体から搬入されてくる短いサイズの用紙に対して穿孔処理する場合や用紙に対して穿孔処理を行わない場合でも長い距離を経て排出しなくてはならず、それだけ用紙排出までの待ち時間がかかってＦＣＯＴ（First Copy Time）性能の低下を招く不利益がある。
【０００６】
また、一般に、画像形成装置の機能を更に高めるため、かかる穿孔処理装置に続いて、該穿孔処理装置から排出された用紙に対してステープル処理を施すためのステープルフィニッシャ等の後処理装置を連結する場合がある。
【０００７】
通常、穿孔処理装置では、用紙に対して曲り矯正動作並びに穿孔処理動作を行なう時には搬送モータの駆動を一時停止させて用紙の搬送を一時的に停滞させるため、その度に穿孔処理装置内を搬送されている先行する用紙も一時停止することになる。このため、穿孔処理装置の出口から後段の後処理装置へ搬入される用紙の先端が、該後処理装置の入口ローラに挟み込まれた状態にあるときに穿孔処理装置の搬送ローラが一時停止すると、回転している後処理装置側の入口ローラと停止状態にある穿孔処理装置側の搬送ローラとで用紙を引っ張り合う現象が生じ、用紙の汚損を発生させる問題がある。
【０００８】
【発明が解決しようとする課題】
本発明はかかる従来事情に鑑みてなされたものであり、第一の課題は、画像形成装置本体から搬入される用紙を、そのサイズ並びに穿孔処理の有無に応じて、適切且つ速やかに排出させることのできる穿孔処理装置並びにこれを備えた画像形成装置を提供することにある。
【０００９】
本発明の第二の課題は、更に後処理装置を連結させた場合でも、穿孔処理時の用紙の一時停止時に、用紙を後処理装置との間で引っ張り合うことなく円滑に排出させることのできる穿孔処理装置並びにこれを備えた画像形成装置を提供することにある。
【００１０】
【課題を解決するための手段】
上記課題を解決する請求項１の発明は、画像形成装置本体から搬入される用紙をレジストローラで曲がり矯正した後、穿孔処理して排出するようにした穿孔処理装置において、
一時停止している用紙に穿孔する穿孔手段と、
前記穿孔手段の下流側に短い搬送経路で用紙を搬送排出する第一の搬送路と長い搬送経路で用紙を搬送排出する第二の搬送路と、
用紙の搬送経路を第一の搬送路又は第二の搬送路に選択的に切り替える切替手段とを有し、
当該穿孔処理装置から排出された用紙に後処理を行う後処理を後段に連結可能であり、
長いサイズの用紙に穿孔処理するときは前記第二の搬送路に用紙を送り、短いサイズの用紙に穿孔処理するときは前記第一の搬送路に用紙を送るように前記切替手段を切り換え、
前記第二搬送路は、一方向回転クラッチを介して駆動される搬送ローラを有することを特徴とする穿孔処理装置である。
【００１２】
請求項２記載の発明は、非穿孔処理時に、用紙の曲り矯正動作をせずに、前記切替手段を第一の搬送路に切り替えて搬送させるようにしたことを特徴とする請求項１記載の穿孔処理装置である。
【００１３】
請求項３記載の発明は、用紙に画像を記録形成する画像記録手段と、
画像が記録形成された用紙を該画像記録手段より排出する排出手段とを有すると共に、該排出手段により排出された用紙に対して、請求項１〜４のいずれかに記載の穿孔処理装置により穿孔処理することを特徴とする画像形成装置である。
【００１５】
【発明の実施の形態】
以下、本発明の実施の形態について図面に基づいて説明する。
【００１６】
図１は、本発明に係る画像形成装置の一例を示す全体構成図、図２はその要部を示す構成図であり、Ａは画像形成装置本体、Ｂは画像読み取り装置、Ｃは穿孔処理装置、Ｄは穿孔処理装置Ｃに続く後処理装置をそれぞれ示している。
【００１７】
画像形成装置本体Ａは、回転する像担持体としての感光体１の周囲に、帯電手段２、像露光手段（書き込み手段）３、現像手段４、転写手段５Ａ、除電手段５Ｂ、分離爪５Ｃ、及びクリーニング手段６を配置し、帯電手段２によって感光体１の表面に一様帯電を行った後に、像露光手段３のレーザービームによって原稿から読み取られた画像データに基づくレーザービーム走査を行うことによって潜像を形成し、該潜像を現像手段４により反転現像して感光体１の表面にトナー像を形成する。
【００１８】
一方、用紙収納手段７Ａから給紙された転写紙である用紙Ｓは転写位置へと送られる。転写位置において転写手段５Ａにより前記トナー像が用紙Ｓ上に転写される。その後に、用紙Ｓは除電手段５Ｂにより裏面の電荷が消去され、分離爪５Ｃにより感光体１から分離され、中間搬送部７Ｂにより搬送され、引き続き定着手段８により加熱定着され、排紙ローラ７Ｃにより排出される。
【００１９】
用紙Ｓの両面に画像形成を行う場合には、定着手段８により加熱定着された用紙Ｓを、搬送路切り替え板７Ｄにより通常の排紙通路から分岐し、反転搬送７Ｅにおいてスイッチバックして表裏反転した後、転写位置へ搬送され、表面と同様転写、分離、定着を経て排紙ローラ７Ｃにより装置外に排出される。排紙ローラ７Ｃにより画像形成装置本体Ａから排出された用紙Ｓは、該画像形成装置本体Ａに隣接して配置された穿孔処理装置Ｃに送り込まれる。
【００２０】
一方、感光体１の画像処理後の表面は、分離爪５Ｃの下流においてクリーニング手段６により表面に残留している現像剤が除去され、次の画像形成に備える。
【００２１】
画像形成装置本体Ａの上部には、原稿移動露光型読み取り方式の自動原稿送り装置を備えた画像読み取り装置Ｂが設置されている。
【００２２】
穿孔処理装置Ｃは、画像形成装置本体Ａの排紙ローラ７Ｃから排出された用紙を受け入れ、その搬送方向の後端側にファイルに綴じ込むためのパンチ孔を穿孔形成するための穿孔手段１０と、該穿孔手段１０によりパンチ孔が穿孔形成された用紙を略一直線状に短い搬送経路で搬送排出する第一の搬送路２０及び略逆Ｕ字状に彎曲した長い搬送経路で搬送排出する第二の搬送路３０と、用紙Ｓの搬送経路を第一の搬送路２０又は第二の搬送路３０に選択的に切り替える切替手段である切替案内部材４０と、穿孔手段１０の下方に配設されてパンチ屑を収容するためのパンチ屑受け５０とを有して構成されている。
【００２３】
穿孔手段１０は、図示しない駆動モータによって回転するカムの作用によって進退動作を行う適宜数のパンチピン１１を備え、画像形成装置本体Ａから一枚ずつ連続して搬入されてくる各用紙Ｓに対して、一時停止させた後、パンチピン１１を進出（下動）させてその搬送方向の後端側にパンチ孔を穿設する。
【００２４】
また、穿孔手段１０は、用紙Ｓの中央の適正位置にパンチ孔を穿設し得るようにするため、図示しない駆動モータによって用紙Ｓの幅方向（図２における紙面に垂直な方向）に移動可能に設けられている。
【００２５】
穿孔手段１０の搬送方向下流側にはレジストローラ対６０が配置されており、画像形成装置本体Ａから排出されて穿孔手段１０を通過してきた用紙Ｓの先端を停止状態にあるレジストローラ対６０の間に突き当て、該レジストローラ対６０の入口側に配設された上部案内板６１ａと下部案内板６１ｂとの間に、画像形成装置本体Ａの排紙ローラ７Ｃの搬送力によって用紙Ｓのたわみを形成し、その搬送曲がりを矯正する。なお、１２は、穿孔手段１０に一体に備えられ、用紙Ｓの先端及び後端を検知するための検知センサである。
【００２６】
切替案内部材４０はレジストローラ対６０の下流側に配置されており、図示しないソレノイドの作動により、用紙Ｓを略一直線状の短い搬送経路で搬送排出する第一の搬送路２０又は略逆Ｕ字状に彎曲した長い搬送経路で搬送排出する第二の搬送路３０にその搬送路を選択的に切り替えるように機能する。
【００２７】
第二の搬送路３０には、用紙Ｓをその大きく彎曲した長い搬送経路に沿って搬送させるための搬送ローラ対３１（搬送ローラ３１ａ及び従動ローラ３１ｂ）及び搬送ローラ対３２（搬送ローラ３２ａ及び従動ローラ３２ｂ）を有し、この第二の搬送路３０の搬送終端部及び第一の搬送路２０の搬送終端部が再び合流して、排紙ローラ対７０（排紙ローラ７０ａ及び従動ローラ７０ｂ）によって用紙Ｓを装置外（後段の後処理装置Ｄ）へ排出するようになっている。
【００２８】
図３に搬送路の駆動伝達系を示す。同図に示すように、搬送ローラ対３１、３２、排紙ローラ対７０及びレジストローラ対６０は、同一の搬送モータ８０からそれぞれ駆動力が伝達されることにより駆動されるようになっている。すなわち、搬送モータ８０、搬送ローラ３１ａ及び３２ａ間にベルトＢ１が架け渡されて搬送モータ８０の駆動力が伝達され、搬送ローラ３２ａ、レジストローラ対６０の駆動ローラ６０ａ及び排紙ローラ７０ａに駆動力を伝達する伝達ローラ７１の間にベルトＢ２が架け渡されることで、搬送モータ８０の駆動力が間接的に伝達される。なお、ｔ１、ｔ２、ｔ３はテンションローラである。
【００２９】
これにより、レジストローラ対６０の間に用紙Ｓの先端を突き当てる曲り矯正動作時及び穿孔手段１０による穿孔処理動作時には、搬送モータ８０を停止させることにより排紙ローラ対７０、搬送ローラ対３１、３２及びレジストローラ対６０は全て駆動を停止し、曲り矯正動作終了又は穿孔処理動作終了の後、搬送モータ８０を駆動再開することにより排紙ローラ対７０、搬送ローラ対３１、３２及びレジストローラ対６０は全て駆動して、第一の搬送路２０又は第二の搬送路３０へ用紙Ｓを搬送するようになっている。
【００３０】
なお、かかる駆動伝達系において、それぞれベルトＢ１、Ｂ２又は伝達ローラ７１によって搬送モータ８０からの駆動力が伝達されて回転駆動する搬送ローラ３１ａ、搬送ローラ３２ａ及び排紙ローラ７０ａの駆動伝達部には、それぞれ一方向回転クラッチ（図示せず）を使用している。この一方向回転クラッチは、搬送モータ８０の駆動力をそれぞれ搬送ローラ３１、３２及び排紙ローラ７０ａに伝達することにより搬送路２０又は３０内の用紙Ｓを搬送可能とすると共に、搬送モータ８０が駆動停止して用紙Ｓの搬送が停止した際、搬送時の回転方向と同一方向に外力が加わった場合には空転可能に配設されている。従って、搬送モータ８０が駆動停止して用紙Ｓの搬送が停止した場合でも、該用紙Ｓ自体は搬送方向に引き出し可能とされている。
【００３１】
穿孔処理装置Ｃの後段に連結された後処理装置Ｄは、穿孔処理装置Ｃから排出された用紙Ｓに対して、その機能に応じてステープル処理やソーティング処理等の後処理を行う。なお、図２において、Ｄ１は穿孔処理装置Ｃから排出された用紙Ｓを受け入れるべく後処理装置Ｄに配設されている入口ローラ対である。
【００３２】
本発明に係る穿孔処理装置Ｃにおいては、搬送路が、用紙Ｓを短い搬送経路で搬送する第一の搬送路２０と長い搬送経路で搬送する第二の搬送路３０とを切替案内部材４０によって選択的に切り替え可能とされているため、例えば画像形成装置本体Ａから搬入される用紙Ｓが短いサイズの用紙である場合、或いは非穿孔処理モードの用紙が搬入された場合、更には厚紙等のように彎曲状の搬送路を搬送し得ない用紙が搬入された場合に、切替案内部材４０によって第一の搬送路２０に切り替えて排出させることで、用紙の搬送信頼性の確保並びに用紙の速やかな排出性を実現可能としている。
【００３３】
また、画像形成装置本体Ａから穿孔処理装置Ｃに搬入されてくる用紙Ｓが上記用紙よりも長いサイズの用紙に穿孔処理する場合には、切替案内部材４０を第二の搬送路３０側へ切り替えて搬送させることで穿孔処理が可能である。
【００３４】
なお、本発明において「短いサイズの用紙」とは、第一の搬送路２０に搬送させた場合に、穿孔処理動作時に一時停止させても、その先端が後処理装置Ｄの入口ローラ対Ｄ１に挟み込まれない程度の長さを有する用紙をいい、「長いサイズの用紙」とは、第一の搬送路２０に搬送させた場合に、穿孔処理動作時に一時停止させると、上流側の用紙の先端が後処理装置Ｄの入口ローラ対Ｄ１に挟み込まれてしまう長さを有する用紙をいう。
【００３５】
次に、本発明に係る穿孔処理装置Ｃの動作について説明する。
【００３６】
まず、図４に示すように、画像形成装置Ａから搬入される短いサイズの用紙Ｓ１に穿孔処理する場合、用紙Ｓ１を第一の搬送路２０側に案内するべく切替案内部材４０を切り替えておく。
【００３７】
穿孔手段１０に備えられた検知センサ１２によって用紙Ｓ１の先端が検知されると、搬送モータ８０は直ちに駆動を停止し、これによって搬送ローラ対３１、３２、排紙ローラ対７０及びレジストローラ対６０は全て駆動を停止する。
【００３８】
搬送路Ｐに案内された用紙Ｓ１は、画像形成装置本体Ａの排紙ローラ７Ｃの搬送力によって穿孔手段１０の下流側に配置されている停止状態のレジストローラ対６０間に突き当たり、曲り矯正動作が行われる。これにより用紙Ｓ１の搬送曲がりが矯正され、所定時間経過後に搬送モータ８０の駆動を再開させ、レジストローラ対６０を回転させて用紙Ｓ１を第一の搬送路２０に搬入する。
【００３９】
次いで、用紙Ｓ１の後端が穿孔手段１０に備えられた検知センサ１２によって検知されると、所定時間経過後に搬送モータ８０は再び駆動停止し、用紙Ｓ１を一時停止させ、穿孔手段１０は用紙Ｓ１の中央の適正位置においてパンチピン１１の進退動作を行って用紙Ｓ１にパンチ孔を穿設する穿孔処理動作を行う。
【００４０】
この穿孔処理時に用紙Ｓ１が一時停止している時、図４に示すように、排紙ローラ対７０の停止によって先行する用紙Ｓ１ｆも停止するが、その先端が後段に連結されている後処理装置Ｄの入口ローラ対Ｄ１に挟み込まれていることによって引っ張り力が作用している場合でも、排紙ローラ７０ａの駆動伝達部に一方向回転クラッチを使用しているため、排紙ローラ対７０は用紙Ｓ１ｆの搬送方向に空転可能であり、該用紙Ｓ１ｆは穿孔処理装置Ｃの排紙ローラ対７０と引っ張り合うことなく後処理装置Ｄの入口ローラ対Ｄ１の回転によって穿孔処理装置Ｃから速やかに排出される。
【００４１】
かかる作用は、曲り矯正動作時に用紙Ｓ１が一時停止した場合にも同様に営まれる。すなわち、図５に示すように、穿孔処理装置Ｃに搬入される用紙Ｓ１の先端が検知センサ１２によって検知されると、搬送モータ８０は直ちに駆動を停止し、これによって搬送ローラ対３１、３２、排紙ローラ対７０及びレジストローラ対６０は全て駆動を停止し、用紙Ｓ１の先端がレジストローラ対６０に突き当たって画像形成装置本体Ａの排紙ローラ７Ｃの搬送力を利用して曲り矯正動作が行われるが、このとき同時に、排紙ローラ対７０の停止によって第一の搬送路２０内を先行する用紙Ｓ１ｆも停止する。ここで、その先端が後段に連結されている後処理装置Ｄの入口ローラ対Ｄ１に挟み込まれていることによって引っ張り力が作用している場合でも、排紙ローラ７０ａの駆動伝達部に一方向回転クラッチを使用しているため、排紙ローラ対７０は用紙Ｓ１ｆの搬送方向に空転可能であり、該用紙Ｓ１ｆは穿孔処理装置Ｃの排紙ローラ対７０と引っ張り合うことなく後処理装置Ｄの入口ローラ対Ｄ１の回転によって穿孔処理装置Ｃから速やかに排出される。
【００４２】
次に、図６に示すように、画像形成装置Ａから搬入される長いサイズの用紙Ｓ２に穿孔処理する場合、用紙Ｓ２を第二の搬送路３０側に案内するべく切替案内部材４０を切り替えておく。
【００４３】
穿孔手段１０に備えられた検知センサ１２によって用紙Ｓ２の先端が検知されると、搬送モータ８０は直ちに駆動を停止し、これによって搬送ローラ対３１、３２、排紙ローラ対７０及びレジストローラ対６０は全て駆動を停止する。
【００４４】
搬送路Ｐに案内された用紙Ｓ２は、画像形成装置本体Ａの排紙ローラ７Ｃの搬送力によって、穿孔手段１０の下流側に配置されている停止状態のレジストローラ対６０間に突き当たり曲り矯正動作が行われる。これにより搬送曲がりが矯正され、所定時間経過後に搬送モータ８０の駆動を再開させ、レジストローラ対６０、搬送ローラ対３１、３２を回転させて用紙Ｓ２を第二の搬送路３０に搬入する。
【００４５】
次いで、用紙Ｓ２の後端が穿孔手段１０に備えられた検知センサ１２によって検知されると、所定時間経過後に搬送モータ８０は再び駆動停止し、用紙Ｓ２を一時停止させ、穿孔手段１０は用紙Ｓ２の中央の適正位置においてパンチピン１１の進退動作を行って用紙Ｓ２にパンチ孔を穿設する穿孔処理動作を行う。
【００４６】
この穿孔処理時に用紙Ｓ２が一時停止している時、図５に示すように、搬送ローラ対３１、３２及び排紙ローラ対７０の停止によって先行する用紙Ｓ２ｆも停止するが、その先端が後段に連結されている後処理装置Ｄの入口ローラ対Ｄ１に挟み込まれていることによって引っ張り力が作用している場合でも、搬送ローラ３１ａ、３２ａ及び排紙ローラ７０ａの駆動伝達部にそれぞれ一方向回転クラッチを使用しているため、それら搬送ローラ対３１、３２及び排紙ローラ対７０は用紙Ｓ２ｆの搬送方向に空転可能であり、該用紙Ｓ２ｆは穿孔処理装置Ｃの排紙ローラ対７０や搬送ローラ対３１、３２と引っ張り合うことなく後処理装置Ｄの入口ローラ対Ｄ１の回転によって穿孔処理装置Ｃから速やかに排出される。
【００４７】
かかる作用は曲り矯正動作時に用紙Ｓ２が一時停止した場合にも同様に営まれる。すなわち、すなわち、図７に示すように、穿孔処理装置Ｃに搬入される用紙Ｓ２の先端が検知センサ１２によって検知されると、搬送モータ８０は直ちに駆動を停止し、これによって搬送ローラ対３１、３２、排紙ローラ対７０及びレジストローラ対６０は全て駆動を停止し、用紙Ｓ２の先端がレジストローラ対６０に突き当たって画像形成装置本体Ａの排紙ローラ７Ｃの搬送力を利用して曲り矯正動作が行われるが、このとき同時に、排紙ローラ対７０の停止によって第二の搬送路３０内を先行する用紙Ｓ２ｆも停止する。ここで、その先端が後段に連結されている後処理装置Ｄの入口ローラ対Ｄ１に挟み込まれていることによって引っ張り力が作用している場合でも、搬送ローラ３１ａ、３２ａ及び排紙ローラ７０ａの駆動伝達部に一方向回転クラッチを使用しているため、それら搬送ローラ対３１、３２及び排紙ローラ対７０は用紙Ｓ２ｆの搬送方向に空転可能であり、該用紙Ｓ２ｆは穿孔処理装置Ｃの排紙ローラ対７０や搬送ローラ対３１、３２と引っ張り合うことなく後処理装置Ｄの入口ローラ対Ｄ１の回転によって穿孔処理装置Ｃから速やかに排出される。
【００４８】
なお、画像形成装置本体Ａから搬入される用紙に対して穿孔処理を行なわない場合には、長いサイズの用紙の場合でも、切替案内部材４０を第一の搬送路２０側に案内するべく切り替え、搬送モータ８０を停止することなく、従って曲り矯正動作を行うことなく、第一の搬送路２０に搬入してそのまま通過させ、穿孔処理装置Ｃから速やかに排出させるようにする。これにより待ち時間少なく後段の後処理装置Ｄに排紙させることができる。
【００４９】
【発明の効果】
本発明によれば、画像形成装置本体から搬入される用紙を、そのサイズ並びに穿孔処理の有無に応じて、適切且つ速やかに排出させることのできる穿孔処理装置並びにこれを備えた画像形成装置を提供することができる。
【００５０】
また、本発明によれば、更に後処理装置を連結させた場合でも、穿孔処理時の用紙の一時停止時に、用紙を後処理装置との間で引っ張り合うことなく円滑に排出させることのできる穿孔処理装置並びにこれを備えた画像形成装置を提供することができる。
【図面の簡単な説明】
【図１】画像形成装置の概略を示す構成図
【図２】穿孔処理装置の要部を示す構成図
【図３】穿孔処理装置の駆動系を示す構成図
【図４】穿孔処理装置の動作を説明する説明図
【図５】穿孔処理装置の動作を説明する説明図
【図６】穿孔処理装置の動作を説明する説明図
【図７】穿孔処理装置の動作を説明する説明図
【符号の説明】
Ａ：画像形成装置本体
Ｂ：画像読み取り装置
Ｃ：穿孔処理装置
Ｄ：フィニッシャ
Ｄ１：入口ローラ対
７Ｃ：排紙ローラ
１０：穿孔手段
１１：パンチピン
１２：検知センサ
２０：第一の搬送路
３０：第二の搬送路
３１、３２：搬送ローラ対
４０：切替案内部材
５０：パンチ屑受け
６０：レジストローラ対
７０：排紙ローラ対
８０：搬送モータ
【図１】
0003988386.tif 000002
【図２】
0003988386.tif 000003
【図３】
0003988386.tif 000004
【図４】
0003988386.tif 000005
【図５】
0003988386.tif 000006
【図６】
0003988386.tif 000007
【図７】
0003988386.tif 000008